(57)【要約】      （修正有）【課題】猿が電気柵の網を支える支柱をよじ登って短時間で電気柵を乗り越えてしまわないように、猿がよじ登ることが困難な電気柵の支柱を提供する。【解決手段】猿５が電気柵の網１をよじ登らず網１を支える支柱をよじ登ることを防止するために、円柱２である支柱の両側に、絶縁体で作られた同じ形状の長方形の板４ａ，４ｂを円柱２の長さ方向の大部分に、以下のように取り付ける。（イ）円柱２の中心を通る一直線上に配置する。0003157369.tif 000007ここで、Ｌは猿の手の平の親指の指先から中指の指先までの手の平に沿った距離、Ｄは円柱２の直径を表す。【選択図】図４
0003157369.tif 000002
【実用新案登録請求の範囲】
【請求項１】
田畑の周囲に導電性の網を設置しその導電部に衝撃高圧を印加して、侵入しようとする猿を感電させることによって撃退する電気柵において、
猿が電気柵の網をよじ登らず網を支える支柱をよじ登って短時間で電気柵を乗り越えてしまうことを防止するために、
円柱である支柱の両側に、絶縁体で作られた同じ形状の長方形の板２枚を支柱の長さ方向の大部分に、以下のように取り付けて猿がよじ登り難くした電気柵の支柱
（イ）  円柱の中心を通る一直線上に配置する。
0003157369.tif 000006
ここで、Ｌは猿の手の平の親指の指先から中指の指先までの手の平に沿った距離、Ｄは円柱の直径を表す。
【考案の詳細な説明】
【考案の詳細な説明】
【技術分野】
【０００１】本考案は、猿の侵入を防止する電気柵の網を猿がよじ登らず、網を支える支柱をよじ登って短時間で電気柵を乗り越えてしまうことを防止するための、猿がよじ登り難い電気柵の支柱に関するものである。
【背景技術】
【０００２】近年山間地域の畑において猿の侵入による被害が多発しているため、畑の作物の周囲に電気柵を設置することが行なわれている。電気柵とは畑の周囲に導電性の網を設置しその導電部に衝撃高圧を印加して、侵入しようとする猿を感電させることによって撃退するものである。【０００３】図１に示す既存の電気柵は人体への安全上の配慮から、導電部に印加する高電圧は連続ではなく断続的に印加される。そのために猿のように運動能力に優れた動物は、非通電時のうちに電気柵を乗り越えてしまう恐れがある。猿が電気柵の網１をよじ登って電気柵を乗り越えようとすると、網１は撓むのでよじ登り難く時間がかかり感電してしまう。そのことを学習した猿は、近年電気柵の網１を支える支柱２をよじ登って短時間で電気柵を乗り越えてしまうようになった。
【考案の開示】
【考案が解決しようとする課題】
【０００４】そこで本考案が解決しようとする課題は、猿が短時間でよじ登ることが困難な電気柵の支柱を提供することにある。
【課題を解決するための手段】
【０００５】図２は円柱２の両側に、円柱２の中心を通る一直線上に配置するように、絶縁体で作られた長方形の板４ａ，４ｂを円柱２の長さ方向の大部分に取り付けた支柱の断面図である。この円柱２と板４ａ，４ｂを組み合わせた支柱を猿の手３ａが確実に掴むには、猿の手の平３ａが板４ａと板４ｂを結ぶ線分ＢＪの垂直２等分線である線分ＡＣの延長線上から円柱２に接近して、この円柱２と板４ａ，４ｂを組み合わせた支柱の外周上の点Ｂ，Ａ，Ｊで手の平３ａと接触しなければならない。【０００６】同じく図２において、この円柱２と板４ａ，４ｂを組み合わせた支柱を猿の手３ｂが確実に掴むには、猿の手の平３ｂが板４ａと板４ｂを結ぶ線分ＢＪの延長線上から円柱２に接近して、この円柱２と板４ａ，４ｂを組み合わせた支柱の外周上の点Ａ，Ｂ，Ｃで手の平３ｂと接触しなければならない。【０００７】これ以外の方法で、つまり図３における猿の手の平３ｃ又は３ｄのように板４ａ，４ｂに対して斜め方向から接近して、この円柱２と板４ａ，４ｂを組み合わせた支柱を掴もうとしても、親指又は中指が支柱を掴む点Ｈにおいて十分な摩擦力が得られず、短時間で猿が支柱をよじ登ることができない。【０００８】図２において、猿の手の平３ａがこの円柱２と板４ａ，４ｂを組み合わせた支柱を確実には掴めない条件は、［０００５」で述べた条件の背反であるから、
【数１】
0003157369.tif 000003
となる。ここで  猿の手の平の親指の指先Ｅから中指の指先Ｇまでの手の平に沿った距離ＥＦＧをＬ、線分ＡＣの長さつまり円柱２の直径をＤ、板４ａ，４ｂの幅をＷとすれば、線分ＡＢの長さと線分ＡＪの長さは等しいので、［数１］は
【数２】
0003157369.tif 000004
となる。これを変形して
【数３】
0003157369.tif 000005
これが、猿の手の平３ａがこの円柱２と板４ａ，４ｂを組み合わせた支柱を確実には掴めないための板４ａ，４ｂの幅Ｗの条件である。【０００９】図２において、猿の手の平３ｂがこの円柱２と板４ａ，４ｂを組み合わせた支柱を確実には掴めない条件は、線分ＡＢの長さと線分ＢＣの長さは等しいので、［０００８］と同じ展開で［数３］と同じであることが分かる。
【考案の効果】
【００１０】図４は円柱２と板４ａ，４ｂを組み合わせた支柱を、電気柵の網１と板４ａ，４ｂが直交するように設置した場合の断面図、図５は側面図である。棒材６は直交クランプなどの継ぎ手により円柱２と直角に固定されており、電気柵の網１は棒材６から吊るされている。猿５は電気柵の網１を隔てて支柱の反対側に居る。猿５は網１から手３を差し込み支柱を掴もうとするが、板４ａ，４ｂの幅Ｗが［数３］の条件を満たしていると、猿５が手の平３で支柱を掴み短時間でよじ登ることは困難となる。【００１１】図６は円柱２と板４ａ，４ｂを組み合わせた支柱を、電気柵の網１と板４ａ，４ｂが平行になるように設置した場合の断面図、図７は側面図である。猿５は電気柵の網１を隔てて支柱の反対側に居る。猿５は網１から手３を差し込み支柱を掴もうとするが、板４ａ，４ｂの幅Ｗが［数３］の条件を満たしていると、猿５が手の平３で支柱を掴み短時間でよじ登ることは困難となる。【００１２】このような形状の支柱とすることにより、猿が電気柵の支柱を短時間でよじ登ることが困難となり、断続的に電気柵の網１に印加される衝撃高圧に感電して撃退される。
【考案を実施するための最良の形態】
【００１３】図８のように、猿の手の平の親指の指先Ｅから中指の指先Ｇまでの手の平に沿った距離Ｌが１３０ｍｍ、支柱の直径Ｄが４０ｍｍと仮定すると、支柱２と組み合わせる板４ａ，４ｂの幅は［数３］により計算されて４２ｍｍ  以上となる。
【図面の簡単な説明】
【００１４】
【図１】猿侵入防止用電気柵の正面図である。
【図２】猿が電気柵の支柱を掴む時の断面図である。
【図３】猿が電気柵の支柱を掴む時の断面図である。
【図４】円柱２と板４ａ，４ｂを組み合わせた支柱を、電気柵の網１と板４ａ，４ｂが直交するように設置した場合の断面図である。
【図５】同上の側面図である。
【図６】円柱２と板４ａ，４ｂを組み合わせた支柱を、電気柵の網１と板４ａ，４ｂが平行になるように設置した場合の断面図である。
【図７】同上の側面図である。
【図８】円柱２と板４ａ，４ｂを組み合わせた支柱の寸法例である。
【符号の説明】１  電気柵の網、２  円柱、３，３ａ，３ｂ，３ｃ，３ｄ  猿の手の平、４ａ，４ｂ  板、５  猿、６  棒材
【図１】
0003157369.tif 000008
【図２】
0003157369.tif 000009
【図３】
0003157369.tif 000010
【図４】
0003157369.tif 000011
【図５】
0003157369.tif 000012
【図６】
0003157369.tif 000013
【図７】
0003157369.tif 000014
【図８】
0003157369.tif 000015
【手続補正書】
【提出日】平成21年11月11日(2009.11.11)
【手続補正１】
【補正対象書類名】実用新案登録請求の範囲
【補正対象項目名】全文
【補正方法】変更
【補正の内容】
【実用新案登録請求の範囲】
【請求項１】
田畑の周囲に導電性の網を設置しその導電部に衝撃高圧を印加して、侵入しようとする猿を感電させることによって撃退する電気柵において、
猿が電気柵の網をよじ登らず網を支える支柱をよじ登って短時間で電気柵を乗り越えてしまうことを防止するために、
円柱である支柱の両側に、絶縁体で作られた同じ形状の長方形の板２枚を支柱の長さ方向に、以下のように取り付けて猿がよじ登り難くした電気柵の支柱
（イ）  円柱を半円柱に２等分する平面に沿って配置する。
0003157369.tif 000016
ここで、Ｌは猿の手の平の親指の指先から中指の指先までの手の平に沿った距離、      Ｄは円柱の直径を表す。